(57)【要約】      （修正有）【課題】十分な強度を担保し得るとともに意匠性および製作性を向上させ得る引張式フレーム構造を提供する。【解決手段】組み立て式の枠体で囲まれた開口部１０９に張られた第一斜状面１および第二斜状面２を備え、線材を並列に且つ水平に対して鋭角になるように開口部１０９に多数掛けたものであり、水平方向の力に対して斜状方向に引張強度を持つことで、枠体の変形を防ぐものであり、可撓性を有する線材で構成されるので、柔軟性を有するとともに、互いに非固着のため、水平方向あるいは鉛直方向の力が第一斜状面１および第二斜状面２のいずれか一方にのみ作用し、他方に直接的に影響を与えないので、十分な引張強度を担保することができ、また、可撓性を有する線材を枠体に掛けたものであるから、枠体の縦横寸法に制限はなく、製作性を向上させることができる。【選択図】図１
2020041389.tif 000002
【特許請求の範囲】
【請求項１】
建築物の屋内外に設けられる間仕切り壁、パーテーション、衝立やエクステリアなどの組み立て式の枠体の構造であって、
組み立て式の枠体で囲まれた開口部に張られた第一斜状面および第二斜状面を備え、
前記第一斜状面が、可撓性を有する線材を、並列に且つ水平に対して鋭角になるように前記開口部に多数掛けたものであり、
前記第二斜状面が、可撓性を有する線材を、並列に且つ水平に対して鈍角になるように前記開口部に多数掛けたものであり、
前記第一斜状面および第二斜状面が、前記開口部の正面視で交差するように配置され、
前記第一斜状面の線材と第二斜状面の線材とが、互いに非固着であることを特徴とする引張式フレーム構造。
【請求項２】
前記組み立て式の枠体において、
枠体を構成する四辺に設けられた掛部に、前記第一斜状面の線材と前記第二斜状面の線材のいずれかあるいは双方が掛けられ、
合わせて前記掛部に掛けられた線材が、前記掛部が属する以外の三辺に設けられた掛部いずれかに掛けられることを特徴とする請求項１に記載の引張式フレーム構造。
【請求項３】
前記第一斜状面における線材の水平に対して配置された鋭角が、３０〜６０°であり、
前記第二斜状面における線材の水平に対して配置された鈍角が、１２０〜１５０°であることを特徴とする請求項１乃至２に記載の引張式フレーム構造。
【請求項４】
前記組み立て式枠体において、
枠体が、長手方向の材と短手方向の材に４つ以上に分割されることを特徴とする請求項１乃至３に記載の引張式フレーム構造。
【発明の詳細な説明】
【技術分野】
【０００１】  本発明は、引張式フレーム構造に関するものである。
【背景技術】
【０００２】  引張式フレーム構造は、建築物の屋内外に設けられた間仕切り壁、パーテーション、衝立、エクステリアなどの組み立て式の枠体であって、枠の縦横寸法に自由度があり、かつ可搬性と意匠性にも優れ、さらに引張力による耐力を有するものである。【０００３】  建築物の屋内外空間を一時的に、または一定期間仕切るために設けられる間仕切り壁、パーテーション、衝立、エクステリアなどの組み立て式の枠体の構造は、従来から多くの技術的提案がなされている。これら組み立て式の枠体は耐久性に優れる他、誰もが容易に組立や解体作業にあたることができることが好ましい。例えば、特許文献１に記載のパーテーション構造は、その段落［００１２］に記載されているように、低負荷の簡単な手作業を前提として、支柱や幕といったパーテーションの機能部分と収容する筐体と分離するよう構成されているため、簡単な手作業によって短時間で組立・解体が可能であることから、施工性に優れる。さらに可搬性にも優れ、低コストであり、さらに機械的な構造の複雑さに伴う取り扱いにくさや点検修理の必要性もない。
【先行技術文献】
【特許文献】
【０００４】
【特許文献１】特開２０１６−０８９３９６号公報
【発明の概要】
【発明が解決しようとする課題】
【０００５】  ところで、前記特許文献１に記載のパーテーション構造は、施工性に優れるものの、工場製品として提供される場合、パーテーションの寸法は規格化され、かつデザインも限られたものになることが懸念される。したがって、製作性と意匠性に改善の余地がある。【０００６】  また、前記特許文献１に限らず技術的提案の多くは、専用部材から構成されており、専用部材の欠損や忘失によって構造が成立しないので、製作性に改善の余地がある。【０００７】  そこで、本発明は、十分な強度を担保し得るとともに、製作性および意匠性を向上させ得る引張式フレーム構造を提供することを目的とする。
【課題を解決するための手段】
【０００８】  前記課題を解決するため、第１の発明に係る引張式フレーム構造は、建築物の屋内外に設けられる間仕切り壁、パーテーション、衝立やエクステリアなどの組み立て式の枠体の構造であって、
組み立て式の枠体で囲まれた開口部に張られた第一斜状面および第二斜状面を備え、
前記第一斜状面が、可撓性を有する線材を、並列に且つ水平に対して鋭角になるように前記開口部に多数掛けたものであり、
前記第二斜状面が、可撓性を有する線材を、並列に且つ水平に対して鈍角になるように前記開口部に多数掛けたものであり、
前記第一斜状面および第二斜状面が、前記開口部の正面視で交差するように配置され、
前記第一斜状面の線材と第二斜状面の線材とが、互いに非固着であるものである。【０００９】  また、第２の発明に係る引張式フレーム構造は、第１の発明に係る引張式フレーム構造における前記組み立て式の枠体において、枠体を構成する四辺に設けられた掛部に、前記第一斜状面の線材と前記第二斜状面の線材のいずれかあるいは双方が掛けられ、
合わせて前記掛部に掛けられた線材が、前記掛部が属する以外の三辺に設けられた掛部いずれかに掛けられるものである。【００１０】  さらに、第３の発明に係る引張式フレーム構造は、第１乃至第２の発明に係る引張式フレーム構造における第一斜状面における線材の水平に対して配置された鋭角が、３０〜６０°であり、
第二斜状面における線材の水平に対して配置された鈍角が、１２０〜１５０°であるものである。【００１１】  加えて、第４の発明に係る引張式フレーム構造は、第１乃至第３の発明に係る引張式フレーム構造における枠体において、
長手方向の材と短手方向の材に４つ以上に分割されることを特徴とするものである。
【発明の効果】
【００１２】  前記引張式フレーム構造によると、組み立て式の枠体で囲まれた開口部に張られた前記第一斜状面および第二斜状面を備え、線材を並列に且つ水平に対して鋭角になるように前記開口部に多数掛けたものであり、水平方向の力に対して斜状方向に引張強度を持つことで、枠体の変形を防ぐものである。前記第一斜状面および第二斜状面は、可撓性を有する線材で構成されるので、柔軟性を有するとともに、互いに非固着のため、水平方向あるいは鉛直方向の力が第一斜状面および第二斜状面のいずれか一方にのみ作用し、他方に影響を与えないので、十分な引張強度を担保することができる。また、前記引張式フレーム構造は、線材を枠体に掛けたものであるから、枠体の縦横寸法に制限はなく、さらに枠体を構成する部材および掛部ならびに可撓性を有する線材は、汎用品を使うことができる。したがって、製作性を向上させることができる。加えて、必要な強度を確保するために、可撓性を有する線材の径の大きさや隣り合う間隔を変えることができる。さらに線材の材質によっては着色染色もできることから、意匠性を向上させることができる。
【図面の簡単な説明】
【００１３】
【図１】本発明の実施の形態に係る引張式フレーム構造の正面図である。
【図２】図１のＡーＡ断面図である。
【図３】図１の右下部を拡大した拡大部分正面図である。
【図４】同引張式フレーム構造に右方向の力が作用した場合を説明するための概略正面図である。
【図５】同引張式フレーム構造に左方向の力が作用した場合を説明するための概略正面図である。
【図６】同引張式フレーム構造に上方向の力が作用した場合を説明するための概略正面図である。
【図７】同引張式フレーム構造に下方向の力が作用した場合を説明するための概略正面図である。
【図８】本発明の他の実施の形態に係る引張式フレーム構造の正面図である。
【図９】本発明の他の実施の形態に係る引張式フレーム構造の正面図である。
【図１０】本発明の他の実施の形態に係る引張式フレーム構造の正面図である。
【図１１】本発明の部品の形態にかかる美観として特徴的な部分を示す正面図である。
【図１２】図１１のＡーＡ’断面図である。
【図１３】図１１の中央部を拡大する参考部分拡大図である。
【図１４】本発明の部品の形態にかかる美観として特徴的な部分を示す平面図である。
【図１５】本発明の部品の形態にかかる美観として特徴的な部分を示す底面図である。
【図１６】本発明の部品の形態にかかる美観として特徴的な部分を示す右側面図である。
【図１７】本発明の部品の形態にかかる美観として特徴的な部分を示す左側面図である。
【図１８】本発明の部品の形態にかかる美観として特徴的な部分を示す背面図である。
【発明を実施するための形態】
【００１４】  以下、本発明の実施の形態に係る引張式フレーム構造について図面に基づき説明する。なお、この説明に用いる図面のうち、図１は本実施の形態に係る引張式フレーム構造の正面図、図２は図１のＡーＡ断面図である。図３は図１の右下部を拡大した拡大部分正面図、図４〜図７は引張式フレーム構造に水平方向または鉛直方向から力が作用した場合を説明するための概略正面図である。また、前記図面のうち、図８〜図１０は、本発明の他の実施の形態に係る引張式フレーム構造の正面図である。さらに、図１１〜図１８は、本発明の部品の形態にかかる美観として特徴的な部分を説明するための図である。このうち、図１４〜図１７は、部品の形態にかかる美観として特徴的な部分が表れないため省略する。
【００１５】  まず、一般的な引張式フレーム構造の概略について説明する。
【００１６】  引張式フレーム構造は、建築物の屋内外に設けられた間仕切り壁、パーテーション、衝立やエクステリアなどの組み立て式の枠体に設けられるものである。組み立て式の枠体とは、例えば図１に示すように、枠体１０５〜１０７で構成されている。このような枠体で囲われた空間が、開口部１０９となる。
【００１７】  前記開口部１０９は、そのままの空間であれば枠体として耐力性に劣ることになる。この対策として、従来では、面材や桟など強度部材となるものを開口部１０９に張ることで、枠体の変形を防いでいた。
【００１８】  次に、本発明の実施の形態に係る引張式フレーム構造１０、すなわち、十分な強度を担保し得るとともに、意匠性および製作性を向上させ得る引張式フレーム構造１０の構成について、図１〜図３に基づき詳細に説明する。
【００１９】  図１に示すように、この引張式フレーム構造１０は、開口部１０９に張られて正面視が網のように見えるものとして、第一斜状面１および第二斜状面２を備える。すなわち、前記第一斜状面１および第二斜状面２は、前記開口部１０９の正面視で交差するように配置される。この開口部１０９は、枠体〜１０７で囲われた空間である。図２に示すように、第一斜状面１は第二斜状面２の下側に張られたものである。
【００２０】  前記引張式フレーム構造１０は、第一斜状面１および第二斜状面２を開口部１０９に張るために、図２に示すように、前記枠体１０５〜１０７に設けられた多数の掛部３を有する。すなわち、これら多数の掛部は、前記枠体１０５〜１０７に第一斜状面１および第二斜状面２を掛けるためものである。これら多数の掛部は、前記枠体１０５〜１０７のそれぞれにおいて、一列状で且つ等間隔にされることが好ましい。前記掛部は、ダボ、ねじなどである。これらは掛部として枠体〜１０７に取り付けられるのが容易である上に、第一斜状面１および第二斜状面２が容易に掛けられる。なお、掛部はダボ、ねじのような別途の部材に限られず、前記枠体１０５〜１０７において第一斜状面１および第二斜状面２が直接掛けられるように形成された部分でもよい。なお、本実施の形態における多数とは、４つ以上を意味する。
【００２１】  前記第一斜状面１および第二斜状面２は、いずれも、可撓性を有する線材から構成される。ここで線材とは、天然繊維、合成繊維、合成樹脂または金属からなる糸、紐、縄、綱、ロープなどを意味する。また、可撓性とは、自重により垂れ下がる程度まで撓むことを意味する。
【００２２】  図３に示すように、前記第一斜状面１は、線材を並列に且つ水平に対して鋭角αになるように、前記枠体１０５〜１０７に設けられた多数の掛部に掛けたものである。同様に、前記第二斜状面２は、線材を並列に且つ水平に対して鈍角βになるよう、同様に、前記枠体１０５〜１０７に設けられた多数の掛部に掛けたものである。このため、前記第一斜状面１および第二斜状面２は、それぞれ、線材の並列に配置された多数の線材部４からなる。なお、並列とは、並びつらなる状態を意味し、必ずしも平行まで限定して解釈されない。しかしながら、前記第一斜状面１および第二斜状面２毎の線材部４を平行に配置する方が、強度の面で有利である。
【００２３】  前記第一斜状面１および第二斜状面２は、交差することで正面視が網のように見えるものの、互いに非固着であるから、直接的に影響を与える（互いに力を作用させ合う）ことはない。
【００２４】  前記第一斜状面１および第二斜状面２を構成する線材部４は、規則性をもって掛け合わせられる。掛け合わせ順序について、図１を用いて説明する。前記枠体１０５〜１０７それぞれに掛部を等間隔で配置する。第一斜状面１について、枠体上辺１０５左端の掛部３を掛け合わせの起点とし、まず、線材を枠体左辺１０７Ｌの掛部３と枠体上辺１０５左端から二番目以降の掛部３の間を線材部４で巻回し、巻回体を構成する。巻回体は前記巻回体と並行になるよう順次掛け合わせ、巻回体が枠体上辺１０５右端に至った後は、枠体左辺１０７Ｌの掛部３と枠体右辺１０７Ｒの掛部３の間に線材部４で巻回体を構成する。さらに巻回体が枠体左辺１０７Ｌの下端に至った後は、枠体下辺１０６の掛部３と枠体右辺１０７Ｒの掛部３の間に線材部４で巻回体を構成する。次に、第二斜状面２について、枠体上辺１０５右端の掛部３を掛け合わせの起点とし、まず、線材を枠体右辺１０７Ｒの掛部３と枠体上辺１０５右端から二番目以降の掛部３の間を線材部４で巻回し、巻回体を構成する。巻回体は前記巻回体と並行になるよう順次掛け合わせ、巻回体が枠体上辺１０５左端に至った後は、枠体右辺１０７Ｒの掛部３と枠体左辺１０７Ｌの掛部３の間に線材部４で巻回体を構成する。さらに巻回体が枠体右辺１０７Ｒの下端に至った後は、枠体下辺１０６の掛部３と枠体左辺１０７Ｌの掛部３の間に線材部４で巻回体を構成する。これら巻回工程を規則的に行うことにより、前記引張式フレーム構造１０は十分な強度を担保できる。
【００２５】  掛部は等間隔で、第一斜状面における線材の水平に対して配置された鋭角αが、４５°であり、第二斜状面における線材の水平に対して配置された鈍角線材の角度βは１３５°に近づくことが好ましい。この場合、水平方向または鉛直方向の応力は線材に均等配分されるので、応力の作用が偏りにくく、引張式フレーム構造が変形しにくい。鋭角αの角度を変える場合は、図８〜図９に示すように、鋭角αはまたは対角（９０°マイナスα）いずれの余弦が０．５以上となる３０〜６０°に抑えることが好ましい。これによって、水平方向または鉛直方向の応力のいずれも五割以上を引張力に置き換えることができるため、強度の面で有利である。このとき、第二斜状面２における線材部４の水平に対して配置された鈍角βは１３５°が最も好ましく、１２０〜１５０°に抑えることが好ましい。このような配置を採用することで、外部応力から枠体１０５〜１０７に作用する力に対して強度の面で有利であり、言い換えれば、一層十分な強度を担保することができる。
【００２６】  以下、外部からの力などにより引張式フレーム構造１０に水平方向（例えば、右方向または左方向）または鉛直方向（例えば、下方向または上方向）の力が作用した場合を、図４〜図７に基づき説明する。
【００２７】  まず、図４の白抜矢印で示すように、前記枠体１０５〜１０７および引張式フレーム構造１０が右方向の力を受けた場合について説明する。
【００２８】  この場合、第一斜状面１から、図４の黒塗矢印で示すように、前記枠体１０５および１０７Ｒが左下方向の力を受けるとともに、枠体１０５および１０７Ｌが右上方向の力を受ける。このような力により、前記枠体１０５、１０７Ｒおよび１０７Ｌは、右方向の力を第一斜状面１にも分担させる。
【００２９】  これに対して、第二斜状面２は、弛むことになるので、前記枠体１０５、１０７Ｒおよび１０７Ｌは、右方向の力が分担されない。また、この弛みが第一斜状面１に直接的に影響を与えることはない。
【００３０】  次に、図５の白抜矢印で示すように、前記枠体１０５、１０７Ｒ、１０７Ｌおよび引張式フレーム構造１０が左方向の力を受けた場合について説明する。
【００３１】  この場合、第二斜状面２から、図５の黒塗矢印で示すように、前記枠体１０５および１０７Ｌが右下方向の力を受けるとともに、前記枠体１０５および１０７Ｒが左上方向の力を受ける。このような力により、枠１０５、１０７Ｒおよび１０７Ｌは、左方向の力を第二斜状面２にも分担させる。
【００３２】  これに対して、第一斜状面１は、弛むことになるので、前記枠体１０５、１０７Ｒおよび１０７Ｌは、左方向の力が分担されない。また、この弛みが第二斜状面２に直接的に影響を与えることはない。
【００３３】  このように、前記引張式フレーム構造１０によると、前記第一斜状面１および第二斜状面２が線材からなるので柔軟性を有するとともに、水平方向の力が第一斜状面１および第二斜状面２のいずれか一方にのみ作用し、他方に直接的に影響を与えないので、十分な強度を担保することができる。
【００３４】  なお、図６の白抜矢印で示すように、前記枠体１０５、１０７Ｒ、１０７Ｌおよび引張式フレーム構造１０が下方向の力を受けた場合、図７の白抜矢印で示すように、前記枠体１０５、１０７Ｒ、１０７Ｌおよび引張式フレーム構造１０が上方向の力を受けた場合も、同様の作用が生じる。
【００３５】  ところで、引張式フレーム構造１０に求められる強度が一定で、かつ線材が同一素材の場合、線材の径が大きいと隣り合う線材の間隔が広くなり、開口部１０９当たりの所要本数が少なくなるので、透過性に富み、空間を開放的に仕切ることが形成できる。一方、線材の径が小さいと隣り合う線材の間隔が狭くなり、開口部１０９当たりの所要本数が多くなるので、遮蔽性に富み、空間を閉鎖的に仕切ることができる。このように、引張式フレーム構造１０は、使用目的や条件に合わせた形成が可能なので、製作性、意匠性に富む。
【００３６】  さらに、図１０に示すように、前記第一斜状面１および第二斜状面２が部分的に交叉してもよい。勿論、この場合、前記第一斜状面１および第二斜状面２の交叉部は、互いに非固着である。
【００３７】  加えて、前記実施の形態では、前記第一斜状面１および第二斜状面２は、それぞれ巻回体からなるとして説明したが、図１０に示すように、線材部４は掛部３毎に独立した線材を用いるようにしてもよい。この場合、線材の線形は輪状でも棒状でもよい。これにより、線材の一部が破断しても、破断しなかった線材部４が枠体１０５〜１０７に掛けられているので、これら破断しなかった線材部４に応力が分担される。すなわち、線材が一部破断した後でも、破断しなかった線材部４が引き続き強度部材となるので、引張式フレーム構造１０は全体としてより粘り強い耐力を有することになる。
【００３８】  また、前記実施の形態では、受材１０５〜１０７の片側の面に前記第一斜状面１および第二斜状面２が張られるとして説明したが、前記第一斜状面１および第二斜状面２が、受材１０５〜１０７の両面に片方ずつ張られてもよい。
【００３９】  勿論、前記第一斜状面１および第二斜状面２が、二組以上、受材１０５〜１０７に同時に張られてもよい。この場合、部品の形態にかかる美観として特徴的な部分を有する例として、図１１〜図１８に示す。
【００４０】  さらに、前記実施の形態は、全ての点で例示であって制限的なものではない。本発明の範囲は、前述した説明ではなく特許請求の範囲によって示され、特許請求の範囲と均等の意味および範囲内での全ての変更が含まれることが意図される。なお、前記実施の形態で説明した構成のうち特許請求の範囲に記載した構成以外については、任意の構成であり、適宜削除および変更することが可能である。
【産業上の利用可能性】
【００４１】  なお、前記実施の形態では、一例として建築物の屋内外に設けられる間仕切り壁、パーテーション、衝立やエクステリアなどの組み立て式の枠体および建築物の耐力壁について説明したが、引戸などの枠体を有する建具、衣類など軽量な品物を置く棚、室内の照明用ペンダント、置き照明用の囲い、インテリア小物など、枠体を有する日用品においても、枠体に掛部を設けて、第一斜状面１および第二斜状面２を設けることで、枠内に十分な強度を担保し得ることから、これら工作物の部材の構造機能を確保することができる。
【符号の説明】
【００４２】１      第一斜状面
２      第二斜状面
３      掛部
４      線材部
１０    引張式フレーム構造
１０５  枠体上辺
１０６  枠体下辺
１０７  枠体左右辺
１０８  ほぞ
１０９  開口部
【図１】
2020041389.tif 000003
【図２】
2020041389.tif 000004
【図３】
2020041389.tif 000005
【図４】
2020041389.tif 000006
【図５】
2020041389.tif 000007
【図６】
2020041389.tif 000008
【図７】
2020041389.tif 000009
【図８】
2020041389.tif 000010
【図９】
2020041389.tif 000011
【図１０】
2020041389.tif 000012
【図１１】
2020041389.tif 000013
【図１２】
2020041389.tif 000014
【図１３】
2020041389.tif 000015
【図１４】
2020041389.tif 000016
【図１５】
2020041389.tif 000017
【図１６】
2020041389.tif 000018
【図１７】
2020041389.tif 000019
【図１８】
2020041389.tif 000020